(57)【特許請求の範囲】
【請求項１】
小切手処理装置における小切手処理方法であって、
小切手の裏面画像を読み取る裏面画像読み取り工程と、
銀行における前記小切手の決済処理が終了したことを示す認証データを生成する認証データ生成工程と、
前記裏面画像読み取り工程により読み取った裏面画像データと、前記認証データとを合成した合成画像データを生成する合成画像データ生成工程と、
前記合成画像データを記憶する合成画像データ記憶工程と、
前記裏面画像読み取り工程後に、前記認証データを前記小切手裏面に印刷する印刷工程と、を備え、
前記合成画像データは、前記認証データが印刷された小切手の裏面画像のデータであることを特徴とする小切手処理方法。
【請求項２】
前記合成画像データ生成工程は、前記裏面画像データの一部に前記認証データを貼り付けることにより前記合成画像データを生成することを特徴とする請求項１に記載の小切手処理方法。
【請求項３】
前記裏面画像は、前記小切手が利用された情報が印刷される領域である、裏書領域を有しており、前記合成画像データ生成工程は、当該裏書領域を除いた領域に、前記認証データを貼り付けることにより前記合成画像データを生成することを特徴とする請求項２に記載の小切手処理方法。
【請求項４】
前記裏面画像読み取り工程、前記認証データ生成工程、前記合成画像データ生成工程および前記認証データを前記小切手裏面に印刷する印刷工程は、前記小切手を前記小切手処理装置の送り経路の挿入口から排出口に向う一方向に一回通すことによって行われることを特徴とする請求項１に記載の小切手処理方法。
【請求項５】
コンピュータに、請求項１ないし４のいずれか１項に記載の小切手処理方法における各工程を実行させるためのプログラム。
【請求項６】
挿入口から挿入した小切手を排出口に向かって送る送り経路と、
前記送り経路に沿って前記小切手を送る送り手段と、
前記送り経路に臨み、送られてゆく前記小切手の裏面画像を読み取る裏面画像読取り手段と、
前記小切手の決済処理が終了したことを示す認証データを生成する認証データ生成手段と、
前記裏面画像読み取り手段により読み取った裏面画像データと、前記認証データとを合成した合成画像データを生成する合成画像データ生成手段と、
前記合成画像データを記憶する合成画像データ記憶手段と、
前記送り経路における、前記裏面画像読み取り手段の送り方向下流側に、前記認証データを前記小切手裏面に印刷する印刷手段と、を備え、
前記合成画像データは、前記認証データが印刷された小切手の裏面画像のデータであることを特徴とする小切手処理装置。
【請求項７】
前記小切手を前記送り経路の前記挿入口から前記排出口に向う一方向に一回通すことにより、前記裏面画像が取り込まれ、前記認証データが生成され、前記合成画像データが生成され、前記認証データを前記小切手裏面に印刷されることを特徴とする請求項６に記載の小切手処理装置。
【請求項８】
前記送り経路における、前記印刷手段の送り方向上流側に位置し、前記小切手に予め印刷された磁気インク文字を読み取る磁気インク文字読取り手段と、
前記磁気インク文字読取り手段による読み取り結果に基づいて、前記小切手が有効であるか否かを判別する判別手段をさらに備え、
前記認証データ生成手段は、前記判別手段により前記小切手が有効であると判別された場合に、前記認証データを生成することを特徴とする請求項７に記載の小切手処理装置。
【発明の詳細な説明】
【技術分野】
【０００１】
本発明は、小切手の決済に伴う小切手処理方法、プログラムおよび小切手処理装置に関するものである。
【背景技術】
【０００２】
小切手の決済処理を行う銀行では、小切手の決済処理が終了したことを示す認証データを小切手裏面に印刷すると共に、銀行と顧客または店舗との取引に疑義が生じた場合に備え、小切手表面および認証データを印刷した裏面の画像を読み取り、この読み取った画像データを、証拠データとして保存している。
【０００３】
このため、この種の小切手処理装置では、小切手の送り経路に臨んで、その送り方向の上流側から、小切手の磁気インク文字を読み取るＭＩＣＲ、認証データの印刷を行う印刷ヘッド、小切手表面または裏面画像の読取りを行う２つのスキャナ、の順で、これら構成装置を配置することが考えられる。
【０００４】
このように、印刷ヘッドの送り方向下流側に小切手表面または裏面画像の読取り用のスキャナを配置すると、結果として送り経路が長くなってしまい、装置の大型化が推察される。さらに、ＭＩＣＲの読取り機能の補完のために小切手の表面画像を読取る場合には、さらに第３のスキャナをＭＩＣＲの送り方向上流側に配置する必要があり、部品数の増加も懸念される。
【０００５】
一方、印刷ヘッドの送り方向上流側に、小切手表面または裏面画像読取り用のスキャナを配置すると、認証データを印刷した小切手の裏面画像を取得するには、認証データの印刷を行った後、再度小切手を装置に挿入し画像を読取らなければならず、操作が煩雑で非効率的である。
【０００６】
また、上記の問題を回避するために、Ｕ字状の送り経路を有し、その送り方向上流側からスキャナ、印刷ヘッド、ＭＩＣＲを配置し、印刷を行った後経路変更を行って、再度画像読取り処理を行う小切手処理装置が開示されている（特許文献１参照）。
【０００７】
この小切手処理装置は、２つの駆動ローラと、小切手排出口近傍に１つの送りローラを有し、正逆回転可能なモータにより歯車列を介してそれぞれ回転駆動している。この歯車列は、モータの回転方向に順じて送りローラを正転または逆転させる一方、駆動ローラはモータの回転方向に拘わらず常時正方向に回転するよう構成されている。すなわち、モータの正逆回転切換えにより、小切手を排出口へ排出するか、若しくは経路変更用のガイドにより経路変更して送り経路へ戻すかを切換え可能に構成されている。
【０００８】
上記の構成により、この小切手処理装置は、第１の送りにより小切手の表面画像読取りおよび印刷を行い、小切手を排出口近傍まで送った後、送りローラの逆転により戻り経路を介して、再び挿入口近傍へ送り戻される。そして第２の送りにより小切手裏面画像の読取りおよび印刷を行う。
【０００９】
その後、再び小切手を排出口近傍まで送った後、送りローラの逆転によりさらに挿入口近傍へ送り戻し、第３の送りにより印刷が行われた小切手表面画像の読取りを行い、小切手を排出口近傍まで送った後、送りローラの正転により小切手を排出している。また、この小切手処理装置において、印刷が行われた小切手裏面画像を読取るには、第３の送りの後、再び小切手を挿入口近傍へ送り戻し、さらに第４の送りにより裏面画像を読みとることが考えられる。
【００１０】
上記の小切手処理装置は、装置の小型化が実現できると共に、一度の小切手挿入操作で、印刷済みの小切手画像データが取得できるが、上記のように構造が複雑になると共に制御が複雑になり、処理に要する時間も長くなってしまう。
【特許文献１】特開２０００−３４４４２８号公報
【発明の開示】
【発明が解決しようとする課題】
【００１１】
そこで、本発明は、小型でありかつ単純な装置を用いて、１度の小切手挿入操作で、印刷済みである小切手の裏面画像データと同等な画像データを保存することができる小切手処理方法、プログラムおよび小切手処理装置を提供することをその課題としている。
【課題を解決するための手段】
【００１２】
本発明の小切手処理方法は、小切手処理装置における小切手処理方法であって、小切手の裏面画像を読み取る裏面画像読み取り工程と、銀行における小切手の決済処理が終了したことを示す認証データを生成する認証データ生成工程と、裏面画像読み取り工程により読み取った裏面画像データと、認証データとを合成した合成画像データを生成する合成画像データ生成工程と、合成画像データを記憶する合成画像データ記憶工程と、前記裏面画像読み取り工程後に、前記認証データを前記小切手裏面に印刷する印刷工程と、を備え、前記合成画像データは、前記認証データが印刷された小切手の裏面画像のデータであることを特徴とする。
【００１３】
また、本発明の小切手処理装置は、挿入口から挿入した小切手を排出口に向かって送る送り経路と、送り経路に沿って小切手を送る送り手段と、前記送り経路に臨み、送られてゆく小切手の裏面画像を読み取る裏面画像読み取り手段と、小切手の決済処理が終了したことを示す認証データを生成する認証データ生成手段と、裏面画像読み取り手段により読み取った裏面画像データと、認証データとを合成した合成画像データを生成する合成画像データ生成手段と、合成画像データを記憶する合成画像データ記憶手段と、前記送り経路における、前記裏面画像読み取り手段の送り方向下流側に、前記認証データを前記小切手裏面に印刷する印刷手段と、を備え、前記合成画像データは、前記認証データが印刷された小切手の裏面画像のデータであることを特徴とする。
【００１４】
これらの構成によれば、認証データが未印刷である小切手の裏面画像データと、認証データとを合成することで、認証データが印刷された小切手の裏面画像と同等な画像データを取得することができる。
【００１５】
この場合、前記裏面画像読み取り工程、前記認証データ生成工程、前記合成画像データ生成工程および前記認証データを前記小切手裏面に印刷する印刷工程は、前記小切手を前記小切手処理装置の送り経路の挿入口から排出口に向う一方向に一回通すことによって行われることが望ましい。
【００１６】
また、この場合、前記小切手を前記送り経路の前記挿入口から前記排出口に向う一方向に一回通すことにより、前記裏面画像が取り込まれ、前記認証データが生成され、前記合成画像データが生成され、前記認証データを前記小切手裏面に印刷されることが望ましい。
【００１７】
これらの構成によれば、小切手画像読取処理と認証データ印刷処理との両方の処理を１台の装置で行うことができると共に、再度小切手を装置に挿入することなく、認証データが印刷された小切手の裏面画像と同等な画像データを取得することができる。
【００１８】
また、これらの場合、送り経路における、印刷手段の送り方向上流側に位置し、小切手に予め印刷された磁気インク文字を読み取る磁気インク文字読み取り手段と、磁気インク文字読み取り手段による読み取り結果に基づいて、前記小切手が有効であるか否かを判別する判別手段をさらに備え、認証データ生成手段は、判別手段により、小切手が有効であると判別された場合に、認証データを生成することが望ましい。
【００１９】
この構成によれば、小切手に予め印刷された磁気インク文字を読み取ることにより、小切手が有効であるか無効であるかを判別することができると共に、小切手が有効である場合にのみ認証データが生成され、印刷が行われるので、無効な小切手に認証データを印刷してしまう虞がない。これにより、小切手の処理における正確性および作業効率を向上させることができる。
【００２０】
また、これらの場合、合成画像データ生成工程は、裏面画像データの一部に認証データを貼り付けることにより合成画像データを生成することが望ましい。
【００２１】
この構成によれば、裏面画像データ上に認証データを貼り付けて合成画像データを生成するので、実際に認証データが印刷された小切手の裏面画像と視認的にも同等な画像データを生成することができる。
【００２２】
さらに、これらの場合、裏面画像は、小切手が利用された情報が印刷される領域である裏書領域を有しており、合成画像データ生成工程は、当該裏書領域を除いた領域に、前記認証データを貼り付けることにより前記合成画像データを生成することが望ましい。
【００２３】
この構成によれば、裏面画像データ上の裏書領域を除いた領域に、認証データを貼り付けて合成画像データを生成するので、店舗により記入される裏書領域を損ねることがない。
【００２４】
本発明のプログラムは、コンピュータに、上記のいずれか１項に記載の小切手処理方法における各工程を実行させることを特徴とする。
【００２５】
この構成によれば、認証データが未印刷である状態で、小切手の裏面画像を読み取る場合に、一度の小切手挿入操作で、認証データが印刷された小切手の裏面画像と同等な画像データを生成し、保存するためのプログラムを提供することができる。
【発明を実施するための最良の形態】
【００２６】
以下、添付の図面を参照して、本発明の小切手処理方法、プログラムおよび小切手処理装置の実施形態について説明する。
【００２７】
最初に、小切手を利用した代表的な電子決済の流れについて簡単に説明する。
図１（ａ）に示すように、小切手Ｃ表面には、シリアル番号９１および利用者名９２が予め印刷されている他、利用日付欄９３、支払先店名欄９４、支払金額欄９５，９６、署名欄９７がある。また、表面下部には、銀行番号、口座番号、小切手番号が磁気インク文字（Magnetic Ink Character）９８で印刷されている。なお、このＭＩＣ（磁気インク文字）９８で印刷された部分をＭＩＣＲ１３（Magnetic Ink Character Recognition Reader；図４参照）で読み取ることにより、小切手Ｃの有効性が確認できる。
【００２８】
利用者は、小切手Ｃ表面に日付、支払先、支払金額、自分の署名を記入し、支払先の店舗に小切手Ｃを渡す。その後、図１（ｂ）に示すように、小切手Ｃ裏面に、小切手Ｃの利用を証明すると共に、振込先等の情報を記載する裏書が店舗により行われた後、小切手Ｃは、店舗の取引銀行である銀行Ａへと送られる。なお、小切手Ｃの裏面は、店舗が裏書を行う裏書領域Ｃ１と、決済機関となる銀行が認証データの印刷を行う銀行処理領域Ｃ２とを有しており、店舗による裏書は、裏書領域Ｃ１上に記入または印刷される。
【００２９】
銀行Ａは、小切手Ｃ表面に支払金額をＭＩＣ（磁気インク文字）で印刷した後、小切手Ｃに印刷されたＭＩＣ（磁気インク文字）９８をＭＩＣＲ１３によって読み取り、小切手の有効性を確認した後、小切手Ｃ裏面の銀行処理領域Ｃ２内に、銀行Ａによる小切手決済処理が終了したことを示す認証データｄを印刷する。同時に小切手Ｃ表面および裏面の画像を読み取り、画像データとして保存する。なお、認証データｄは、各銀行によりその表記内容は異なるが、主に銀行名、銀行番号、処理日付、処理番号が含まれる。
【００３０】
その後、銀行Ａは、小切手Ｃが利用された店舗の取引口座へ、利用者の取引口座より指定金額の振り込みを行う。また、利用者と店舗の取引銀行が異なる場合は、利用者の取引銀行である銀行Ｂへ、小切手番号や金額といった小切手Ｃのデータが送られ、決済処理が実行される。
【００３１】
次に、本発明の小切手処理装置１０の構成について説明する。図２に示すように、本発明の小切手処理装置１０は、小切手Ｃの画像読み取りや、印刷処理を行う複合処理装置１と、これと接続されて用いられ、認証データの生成や複合処理装置を制御するホストコンピュータ５０と、により構成される。
【００３２】
ホストコンピュータ５０は、各種入力を行うキーボード５１やマウス５２と、小切手Ｃの画像データの表示やエラー報知を行う表示画面５３を備えており、複合処理装置１と有線または無線接続されている（図示ではコネクタケーブルで接続）。
【００３３】
ところで、ホストコンピュータ５０は、ネットワーク（インターネット）を介して、小切手Ｃの有効性を認証するための決済処理サーバと接続されている。ホストコンピュータ５０は、複合処理装置１のＭＩＣＲ１３（図４参照）によって読み取った小切手データを受信し、決済処理サーバに送信する。そして、決済処理サーバの応答に基づいて小切手Ｃが有効であるか無効であるかを判別する。
【００３４】
次に、本発明の複合処理装置１の構成について説明する。
図２に示すように、複合処理装置１はＵ字状の送り経路Ｐに臨んで、小切手Ｃの画像を読み取る画像読取部１００（図３も参照）と、小切手Ｃに印刷された磁気インク文字を読み取る磁気データ読取部１１０（図３も参照）と、小切手Ｃに認証データの印刷を行う印刷部１２０とを有すると共に、送り経路Ｐに沿って小切手Ｃを送る送り機構２０（図３参照）とを有している。
【００３５】
図３に示すように、送り経路Ｐは、外側ガイド２ａおよび内側ガイド２ｂによって挟まれたスリット状の経路により構成されており、直線部分３５ａ，３５ｂと、両端が直線部分３５ａ，３５ｂに接続されたＵ字底部分３４からなる全体Ｕ字型の形状をしている。
【００３６】
また、送り機構２０は、利用者により小切手Ｃが小切手挿入口３から送り経路Ｐに挿入されると、矢印Ａの方向に小切手Ｃを直線部分３５ａに沿って送り、Ｕ字底部分３４を介して挿入時とは１８０度向きを変えた後、直線部分３５ｂを介して矢印Ｂの方向に送って、小切手Ｃを小切手排出口４から排出する。すなわち、送り機構２０は、小切手Ｃを送り経路Ｐに沿ってＵ字状に湾曲させながら送るようになっている。なお、複合処理装置１では、原則として小切手Ｃの表面が内側ガイド２ｂ側に向けて配置される。
【００３７】
また、送り機構２０は、第１送りローラ６、第２送りローラ７および排出ローラ８を有しており、これら各ローラ６，７，８は、それぞれモータ４０（図５参照）により駆動される駆動ローラ６ａ，７ａ，８ａと、この駆動ローラに対して小切手Ｃを押し付ける押付ローラ（従動ローラ）６ｂ，７ｂ，８ｂから成るグリップローラで構成されている。
【００３８】
第１送りローラ６は、送り経路Ｐの第１コーナー部分に配設されており、その上流側にはＢＯＦ（Bottom of Form）検出器９が、そして第１送りローラ６の下流側にはＴＯＦ（Top of Form）検出器１０が配設されている。これらの検出器９，１０は、送り経路Ｐに沿って送られてゆく小切手Ｃの先端および後端を検知する。このＢＯＦ検出器９の検出に応じてモータ４０が駆動され、第１送りローラ６、第２送りローラ７および排出ローラ８が、回転を開始する。
【００３９】
ＴＯＦ検出器１０と、第２送りローラ７との間のＵ字底部分３４には、画像読取部１００を構成する裏表２つのスキャナ１１，１２および磁気データ読取部１１０を構成するＭＩＣＲ１３が配置されている。
【００４０】
２つのスキャナ１１，１２は、それぞれ小切手Ｃの画像を読み取る画像読取センサである。一方の裏側スキャナ１１は小切手Ｃの裏面画像を読取可能なように送り経路Ｐの外側ガイド２ａ側に設けられ、他方の表側スキャナ１２は、小切手Ｃの表面画像を読み取り可能なように送り経路Ｐの内側ガイド２ｂ側に設けられている。これらの両スキャナ１１，１２は、送り経路Ｐを介した対向面側に配置された押付け部材（ローラ）１１ａ，１２ａによって小切手Ｃをスキャナ１１，１２に押し付けた状態で画像を読み取る。
【００４１】
ＭＩＣＲ１３は、小切手Ｃの表面に印刷されたＭＩＣ（磁気インク文字）を読み取る磁気読み取りセンサであり、小切手Ｃの表面に対向可能なように送り経路Ｐの内側ガイド２ｂ側に設けられている。ＭＩＣＲ１３は、送り経路Ｐを介した対向面側に配置された押付け部材（パッド）１３ａによって小切手ＣをＭＩＣＲ１３に押し付けた状態でＭＩＣ（磁気インク文字）を読み取る。
【００４２】
第２送りローラ７は、送り経路Ｐの第２コーナー部分に配設され、また排出ローラ８は小切手排出口４の近傍に配設されている。第２送りローラ７と排出ローラ８との間の直線部分３５ｂには、印刷部１２０を構成する印刷ヘッド１４が送り経路Ｐに向けられて配置されている。この印刷ヘッド１４は、ガイド軸１５ａを介して移動可能に構成されたキャリッジ１５に載置されており、キャリッジ１５を介して印刷領域１８と退避位置１９との間を移動することができる。
【００４３】
小切手Ｃに印刷を行う場合には、印刷ヘッド１４は印刷領域１８内の所定の位置に停止しており、小切手Ｃの送りに同期して印刷ヘッド１４が駆動され、小切手Ｃへの印刷が行われる。一方、詳細は後述するが、この直線部分３５ｂにロール紙を導入した場合には、ロール紙の送り（副走査）と印刷ヘッド１４の移動（主走査）とにより、ロール紙に印刷が行われる。
【００４４】
印刷ヘッド１４の下流側には、排出ローラ８および小切手排出口４が設けられている。印刷が終了した小切手Ｃは、排出ローラ８を介して小切手排出口４より排出される。また、排出ローラ８の近傍には、排出検出器（図示省略）が設けられており、印刷が終了した小切手Ｃが排出されたかどうか検出することが可能である。
【００４５】
なお、本実施形態では、裏・表両スキャナ１１，１２およびＭＩＣＲ１３が配置されているＵ字底部分３４以外の場所では、外側ガイド２ａと内側ガイド２ｂの高さは、送られる小切手Ｃの幅よりも低くなっており、紙詰まり等が発生した場合に、手で容易に取り出せるようになっている。
【００４６】
また、図示は省略するが、本実施形態の複合処理装置１は、小切手Ｃを送るための送り経路Ｐの他、送り経路Ｐの直線部分３５ｂと一部重複し、送り経路Ｐと送り方向がほぼ直交（図３における紙面を貫通する方向）している垂直送り経路である、ロール紙を送るロール紙送り経路を備えている。そして、送り経路Ｐの直線部分３５ａ，３５ｂの間には、ロール紙を収容するロール紙収納部が設けられている。ロール紙の一端は、このロール紙収納部からロール紙送り経路に引き出されて、ロール紙送り経路に沿って送りが行われ、印刷ヘッド１４と近接対向する印刷領域１８を通過するときに、移動する（主走査）印刷ヘッド１４を介してロール紙に対する印刷が行われる。すなわち、本実施形態の複合処理装置１は、小切手Ｃの処理を行うと共に、ロール紙を用いてレシートを発行することも可能である。
【００４７】
さらに、本実施形態の複合処理装置１には、印刷領域１８に配置する印刷ヘッド１４に対応して設けられ、印刷領域１８付近の外側ガイド２ａと内側ガイド２ｂとの間に形成される上部開口から、外側ガイド２ａと内側ガイド２ｂとの間に挿入された、小切手Ｃを垂直に送る垂直送り経路を有している。この垂直送り経路は、小切手Ｃを上方から挿入して印刷を行い、印刷後再び上方へ小切手Ｃを排出するバリデーション印刷を行うための送り経路である。
【００４８】
本実施形態の印刷ヘッド１４は、キャリッジ１５に載置されており、送り経路Ｐの直線部分３５ｂに沿って水平方向に印刷領域１８の間を移動可能である。すなわち、小切手Ｃへの印刷には、前述したような印刷ヘッド１４の位置を固定した状態で小切手Ｃを水平方向に移動させることにより印刷を行う印刷ヘッド固定モードと、小切手Ｃの位置を固定した状態で印刷ヘッド１４を水平方向に移動させることにより印刷を行う小切手固定モードと、の２つがある。
【００４９】
また、ロール紙への印刷も、印刷ヘッド１４がキャリッジ１５を介して水平方向に移動しながら一行印刷を行い、複数行印刷する必要がある場合には、一行印刷の終了後、ロール紙を一行分上方に紙送りした後（副走査）に、再度印刷ヘッド１４を水平方向に移動させて（主走査）２行目以降の印刷を行う。
【００５０】
次に、小切手Ｃの画像並びにＭＩＣ（磁気インク文字）読取処理および印刷処理について説明する。小切手Ｃは、ユーザによって矢印Ａの方向から、小切手挿入口３より挿入されると、送り経路Ｐに沿って一定速度で送られてゆく。
【００５１】
その後、小切手ＣがＢＯＦ検出器９に達すると、ＢＯＦ検出器９は、小切手Ｃの先端を検出する。そして第１送りローラ６の駆動ローラ６ａは、このＢＯＦ検出器９の検出に応じて回転を始める。これにより、小切手Ｃは、第１送りローラ６に受け渡され、すなわち駆動ローラ６ａと押付けローラ６ｂの間にスムーズに挟み込まれ、駆動ローラ６ａの回転によってスリップすることなく送り経路Ｐに沿って、Ｕ字部分３４の外側ガイド２ａの壁に沿って送られてゆく。
【００５２】
第１送りローラ６によって送られてゆく小切手Ｃの先端が、ＴＯＦ検出器１０に達すると、その先に設置されたスキャナ１１，１２とＭＩＣＲの電源がＯＮして検出待機状態となる。本実施形態の複合処理装置１は、ローラの駆動を含め、必要なときだけ必要な部位に電力を供給するようになっており、無駄な電力の消費を防ぐように構成されている。
【００５３】
さらに、小切手Ｃが送られると、外側ガイド２ａ側に設置された裏側スキャナ１１は、小切手Ｃの裏面画像を読み取り、そして内側ガイド２ｂ側に設置された表側スキャナ１２は、小切手Ｃの表面画像を読み取る。さらに、内側ガイド２ｂ側に設置されたＭＩＣＲ１３は、小切手Ｃに予め記載されたＭＩＣ（磁気インク文字）の情報を読み取る。詳細は後述するが、読み取った小切手Ｃの表面画像データｇ１および裏面画像データｇ２は、小切手処理装置１の小切手表面画像データブロック２４２および小切手裏面画像データブロック２４３に一時的に保存され（図５参照）、ＣＰＵ２２０による合成画像データｇ３生成の他、所定の処理が行われる。
【００５４】
小切手Ｃは、ＴＯＦ検出器１０を通過した後に、その先端が第２送りローラ７に達すると、駆動ローラ７ａと押付けローラ７ｂの間に挟まれて、駆動ローラ７ａの回転によって直線部分３５ｂ側へ送り出される。
【００５５】
そして、小切手Ｃが印刷ヘッド１４と近接対向する印刷領域１８を通過するときに、印刷ヘッド１４が駆動され、この小切手Ｃへの印刷を行う。このとき、印刷ヘッド１４は印刷領域１８中の予め決められた位置に停止しており、印刷媒体である小切手Ｃの移動（主走査）と同期して駆動され、所定の印刷が行われる。
【００５６】
印刷ヘッド１４によりその裏面側に印刷が行われた小切手Ｃは、排出ローラ８で矢印Ｂの方向へ排出され、すなわち駆動ローラ８ａと押付ローラ８ｂの間に挟まれた状態で駆動ローラ８ａが回転することによって、複合処理装置１の外部へ送り出されることにより、小切手Ｃに関する処理が終了する。
【００５７】
ここで、図４を参照し、小切手処理装置１０を構成する複合処理装置１およびホストコンピュータ５０の制御構成について説明する。
複合処理装置１は、小切手Ｃの画像を読み取る画像読取部（画像読み取り手段）１００と、小切手Ｃに記載されたＭＩＣ（磁気インク文字）を読み取る磁気データ読取部（磁気インク文字読み取り手段）１１０と、小切手Ｃの裏面に印刷を行う印刷部（印刷手段）１２０と、小切手Ｃの先端および後端を検出する検出部と、各部を駆動する駆動部１４０と、各部と接続され、複合処理装置１全体を制御する制御部２００とによって構成されている。
【００５８】
画像読取部１００は、裏・表両スキャナ１１，１２を有し、小切手Ｃの表面および裏面画像の読み取りを行う。また、磁気データ読取部１１０は、ＭＩＣＲ１３を有し小切手Ｃに記載されたＭＩＣ（磁気インク文字）の読み取りを行う。印刷部１２０は、印刷ヘッド１４を有し、主として小切手Ｃの裏面にホストコンピュータ５０より受信した認証データｄの印刷を行う。
【００５９】
検出部１３０は、ＢＯＦ検出器９およびＴＯＦ検出器１０を有し、それぞれ小切手Ｃの先端および後端を検出する。
また、駆動部１４０は、第１送りローラ６、第２送りローラ７および排出ローラ８（送り機構２０）と、これら複数の送りローラ６，７，８のうち、駆動ローラ６ａ、７ａ、８ａを回転駆動するモータ４０とを備え、小切手Ｃの送りを制御する。
【００６０】
制御部２００は、ＣＰＵ２２０、ＲＯＭ２３０、ＲＡＭ２４０および入出力制御装置２１０（以下、「ＩＯＣ：Input Output Controller」という）を備え、互いに内部バス２５０により接続されている。ＲＯＭ２３０は、小切手Ｃの読み取りや印刷の制御、並びに読み取った小切手Ｃの裏面画像データｇ２と、ホストコンピュータ５０から受信した認証データｄと、を合成して合成画像データｇ３を生成する制御を行うためのプログラムの他、ＣＰＵ２２０で処理する各種プログラムを記憶する制御プログラムブロック２３１と、合成画像データｇ３を生成するための制御データや各種テーブル等を記憶する制御データブロック２３２と、を有している。
【００６１】
ＲＡＭ２４０は、フラグ等として使用される各種ワークエリアブロック２４１の他、読み取った小切手Ｃの表面画像データｇ１を記憶する小切手表面画像データブロック２４２と、読み取った小切手Ｃの裏面画像データｇ２を記憶する小切手裏面画像データブロック２４３と、読み取った小切手Ｃの磁気データを記憶する磁気データブロック２４４と、ホストコンピュータ５０から受信した認証データｄを一時的に記憶する認証データブロック２４５と、小切手裏面画像データｇ２と認証データｄとを合成して生成した合成画像データｇ３を一時的に記憶する合成画像データブロック２４６と、を備え、制御処理のための作業領域として使用される。
【００６２】
ＩＯＣ２１０には、ＣＰＵ２２０の機能を補うと共に各種周辺回路とのインタフェース信号を取り扱うための論理回路が、ゲートアレイやカスタムＬＳＩなどにより構成されて組み込まれている。これにより、ＩＯＣ２１０は、裏・表両スキャナ１１，１２により読み取られた画像データや、ＭＩＣＲ１３により読み取られた磁気データ、並びにホストコンピュータ５０からの認証データや制御データをそのまま或いは加工して内部バス２５０に取り込むと共に、ＣＰＵ２２０と連動して、ＣＰＵ２２０から内部バス２５０に出力されたデータや制御信号を、そのまま或いは加工して印刷部１２０等各部に出力する。
【００６３】
そして、ＣＰＵ２２０は、上記の構成により、ＲＯＭ２３０内の制御プログラムに従って、ＩＯＣ２１０を介して複合処理装置１内の各部の各種信号・データを制御することにより、合成画像データｇ３の生成処理や、小切手Ｃの印刷処理などを行う。
【００６４】
また、複合処理装置１に接続されて用いられるホストコンピュータ５０は、ＲＯＭおよびＲＡＭから成るメモリ５４と、ホストコンピュータ５０内の各部を制御するＣＰＵ５５の他、複合処理装置１を制御するためのプログラムであるドライバ５６を備えている。
【００６５】
メモリ５４は、ＲＯＭ内にＣＰＵ５５で処理する制御プログラムや、各種テーブルを含む制御データを記憶すると共に、ＲＡＭ内にワークエリアや各種レジスタ群の他、オペレータによって入力された情報（銀行名や銀行番号が該当する）、並びに複合処理装置１から受信した合成画像データｇ３や小切手Ｃの表面画像データｇ１の記憶領域を有し、制御処理のための作業領域として使用する。
【００６６】
ホストコンピュータ５０は、複合処理装置１より、認証データの送信を要求するための認証データ要求コマンドを受信すると、ＲＡＭ内に記憶した情報（銀行名や銀行番号）に処理日付、処理番号を付加して認証データｄを生成し、複合処理装置１へ送信する。
【００６７】
さらに、複合処理装置１による小切手Ｃの画像およびＭＩＣ（磁気インク文字）の読み取り、並びに小切手Ｃの印刷処理について図５のフローチャートを参照して説明する。小切手Ｃが小切手挿入口３より複合処理装置１内へ送り込まれると（Ｓ０１）、小切手Ｃは、裏側スキャナ１１に対向する位置まで送られ、裏側スキャナ１１は、小切手Ｃの裏面画像を読み取る（Ｓ０２）。ＣＰＵ２２０は読み取った小切手Ｃの裏面画像データｇ２を、ＩＯＣ２１０を介してＲＡＭ２４０内の小切手裏面画像データブロック２４３に一時的に保存する。
【００６８】
裏面画像が読み取られた後、小切手Ｃは、表側スキャナ１２に対向する位置まで送られ、表側スキャナ１２は、小切手Ｃの表面画像を読み取る（Ｓ０３）。ＣＰＵ２２０は読み取った小切手Ｃの表面画像データｇ１を、ＩＯＣ２１０を介してＲＡＭ２４０内の小切手表面画像データブロック２４２に一時的に保存する。
【００６９】
表面画像が読み取られた後、小切手Ｃは、ＭＩＣＲ１３に対向する位置まで送られ、ＭＩＣＲ１３は、小切手Ｃに記載されたＭＩＣ（磁気インク文字）を読み取る（Ｓ０４）。ＭＩＣＲ１３によって読み取られた磁気データは、ホストコンピュータ５０を介して決済サーバまで送信され、決済サーバの応答に基づきホストコンピュータ５０は小切手Ｃが有効であるか無効であるかを判別する（Ｓ０５）。その後、ホストコンピュータ５０より小切手Ｃが有効であることを受信する（Ｓ０５：Ｙｅｓ）と、複合処理装置１は、認証データ要求コマンドをホストコンピュータ５０へ送信する。また、小切手Ｃの磁気データは磁気データブロック２４４に記憶される。
【００７０】
そして、ホストコンピュータ５０は認証データｄを生成し、複合処理装置１へ送信する（Ｓ０６）。さらに複合処理装置１は、認証データｄを受信すると、小切手裏面画像データブロック２４３に保存した小切手Ｃの裏面画像データｇ２と、受信した認証データｄとを合成し、合成画像データｇ３を生成する（Ｓ０７）。また、生成した合成画像データｇ３は、合成画像データブロック２４６に保存される。その後、小切手Ｃは、印刷領域１８（図３参照）内に待機している印刷ヘッド１４に対向する位置まで送られ、複合処理装置１は、小切手Ｃ裏面に認証データｄの印刷を行う（Ｓ０８）。その後、小切手Ｃを排出して処理を終了する（Ｓ０９）。
【００７１】
また、ホストコンピュータ５０より、小切手Ｃが無効であることを受信した場合は（Ｓ０５：Ｎｏ）、複合処理装置１は、小切手Ｃの処理を中止し印刷を行うことなくこれを排出する（Ｓ０９）。なお、合成画像データｇ３の生成はホストコンピュータ５０で行ってもよい。また、小切手が有効であることが確認された場合には、すぐに認証データｄを複合処理装置１に送信する構成にしてもよい。これにより、認証データ要求コマンド送受信の手間を省くことができる。
【００７２】
ここで、合成画像データｇ３の生成について図６を参照して詳細に説明する。
複合処理装置１は、小切手裏面画像データブロック２４３に記憶した、小切手Ｃの裏面画像データｇ２の銀行処理欄Ｃ２上に認証データｄを貼り付けることにより、合成画像データｇ３を生成する（同図（ａ）参照）。これにより、同図（ｂ）に示す、実際に認証データｄが印刷された小切手Ｃの裏面画像と同等な合成画像データｇ３を生成することができる。
【００７３】
また、生成された合成画像データｇ３は、合成画像データブロック２４６に一時的に保存される。その後、ユーザの指示等により合成画像データｇ３の保存が確定されると、合成画像データｇ３は、小切手Ｃの表面画像データｇ１と共にホストコンピュータ５０に送信され、ホストコンピュータ５０内に記憶される。
【００７４】
合成画像データｇ３の利用方法の一例として、ホストコンピュータ５０に備えられた表示画面５３に表示して確認したり（図７（ａ）参照）、小切手Ｃの表面画像データｇ１と、印刷後の小切手Ｃの裏面画像である合成画像データｇ３とを、１枚の紙にまとめて出力することもできる（図７（ｂ）参照）。この場合、画像データを出力して保存しておく場合に便利であると共に、トラブルが生じた場合に、利用者に掲示することもできる。この出力には、本実施形態の複合処理装置１を使用してもよいし、他の印刷装置をホストコンピュータ５０に接続して出力してもよい。
【００７５】
また、免許証やキャッシュカードの画像読取手段を複合処理装置１に一体に組み込ませるようにしてもよい。これにより、小切手Ｃを換金する場合などに、小切手利用者を認証するための免許証やキャッシュカードの画像データを、小切手Ｃの画像データと共に保存しておくことができる。また、小切手Ｃの表面画像データｇ１、合成画像データｇ３と共に、免許証やキャッシュカードの画像データを１枚の紙にまとめて出力することもできる（図８参照）。また、身分証明証となる画像を取得することから、小切手の偽造や盗難といった不正小切手の使用の抑制にもなる。
【００７６】
このように、本発明の小切手処理装置１０は、印刷ヘッドの上流側にスキャナが配置された小型な装置構成でも、単純な制御でかつ一度の小切手挿入操作により、認証データｄが印刷された小切手Ｃの裏面画像と同等な画像を取得できる。また、印刷機能を備えていない複合処理装置を使用する場合でも、印刷済みである小切手Ｃの裏面画像データと同等な画像データを取得することができる。
【００７７】
ところで、小切手から読み取ったデータをネットワークを介して送受信することで決済処理を行う電子決済システムは、その導入から日が浅いこともあり、小切手から読み取った小切手番号や金額等の小切手データを、取り扱うことができる銀行と、取り扱うことができない銀行とが取引を行う場合が考えられる。この場合、小切手の表面画像データ、銀行の認証データ、ＭＩＣ（磁気インク文字）、並びに小切手裏面画像データ、とを同一の用紙に出力したものを代用小切手（Substitute Check）として、電子決済システムが未導入である銀行に対し、小切手データの代わりに送付する方法がある。（ＭＩＣ（磁気インク文字）は磁気インクにて出力されている必要がある。）
【００７８】
本発明の小切手処理装置１０は、認証データｄが印刷された小切手裏面画像と同等な画像データを生成することができるので、代用小切手を生成する場合にも、取得した画像データを利用することができる（図９（ａ）、（ｂ）参照）。
【００７９】
なお、本実施形態では、画像読み取り媒体および印刷媒体として小切手を例に挙げて説明したが、本発明は、画像読み取り媒体および印刷媒体として、小切手に限定されるものではなく、例えば小切手の代わりに手形を画像読み取り媒体および印刷媒体としてもよい。
【００８０】
また、ホストコンピュータ５０に備えられたドライバ５６に、合成画像データｇ３を生成するか否かを選択する機能を設けてもよい。これにより、必要な場合にのみ合成画像データｇ３の生成を行うのでより効率的である。なお、合成画像データｇ３の生成が選択されていない場合、認証データｄが印刷された裏面画像データを取得する場合は、認証データｄの印刷を行い小切手Ｃが排出された後、再び小切手Ｃを挿入し、小切手裏面の裏面画像読み取りを行う。
【００８１】
また、上記の例に示した小切手処理装置１０および小切手処理方法の各部（各機能）をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００８２】
また、上述した実施例によらず、小切手処理装置および小切手処理方法の装置構成や処理工程等について、本発明の要旨を逸脱しない範囲で、適宜変更も可能である。
【図面の簡単な説明】
【００８３】
【図１】一般的な小切手の一例を示す平面図である。
【図２】本発明の実施形態に係る小切手処理装置の構成図である。
【図３】小切手処理装置の機能を含む複合処理装置における送り経路の模式図である。
【図４】小切手処理装置の制御ブロック図である。
【図５】小切手の画像読み取りから印刷までの流れを示すフローチャートである。
【図６】本発明の実施形態に係る合成画像データの生成を表す説明図である。
【図７】本発明の実施形態に係る合成画像データの一利用方法を示す図である。
【図８】本発明の実施形態に係る合成画像データの一利用方法を示す図である。
【図９】本発明の小切手処理装置を用いて生成した代用小切手を示す平面図である。
【符号の説明】
【００８４】
１０          小切手処理装置        ５０          ホストコンピュータ
１１          裏側スキャナ          １２          表側スキャナ
１３          ＭＩＣＲ              １４          印刷ヘッド
Ｃ            小切手                Ｃ１          裏書欄
Ｃ２          銀行処理欄            ｄ            認証データ
Ｐ            送り経路
ｇ１          小切手表面画像データ
ｇ２          小切手裏面画像データ
ｇ３          合成画像データ
２４３        小切手裏面画像データブロック
２４４        磁気データブロック
２４５        認証データブロック
２４６        合成画像データブロック
【図１】
0004691900.tif 000002
【図２】
0004691900.tif 000003
【図３】
0004691900.tif 000004
【図４】
0004691900.tif 000005
【図５】
0004691900.tif 000006
【図６】
0004691900.tif 000007
【図７】
0004691900.tif 000008
【図８】
0004691900.tif 000009
【図９】
0004691900.tif 000010